(57)【要約】      （修正有）【課題】商品管理センターに街角や店舗等の映像を蓄積しておき、該商品管理センターからＰＣ等に対し、該ＰＣ等モニターに街角や店舗等を映し出して、買物をすることが出来る買物システムを提供する。【解決手段】買物を希望する街角、店舖等及び各種商品をビデオカメラ等で店主側等が事前に撮影した映像等の情報を、商品管理センターに蓄積しておき、それらの各種買物情報をインターネットを経由してＰＣ等で何時でも視聴して街角を散策したり買物をすることができる機能を持ったことを特徴とするＰＣ等仮想空間での散策及びお買物システムで、その他に各店舗等の店内に設置したＰＣ等と、ＰＣ等の視聴者である買物客との間にてウェブカメラのチャットシステムを利用した交信を介して、商品販売員と買物客が互いに相手方を見ながら、会話をしながら該商品を買うことができる機能を持ったことを特徴とするＰＣ等仮想空間での散策及びお買物システム。【選択図】図２
2010157195.tif 000002
【特許請求の範囲】
【請求項１】
デスクトップ型パーソナルコンピューター、モバイル又はノートブック型パーソナルコンピューター及び携帯電話等（以下総称して「ＰＣ等」という）の映像装置を持つ該モニターに、街角、街角にある商店街、店舗及びデパート等の映像をＰＣ等のモニターに映し出して、該ＰＣ等のモニターを見る視聴者が、、街角や店舗の風景を楽しみながら移動して散策できることを特徴とするＰＣ等仮想空間での散策及びお買物システム。
【請求項２】
上記請求項１に記載に付随してお散歩から商店に入店して、該ＰＣ等のモニターを見る視聴者が買物客になり、希望する店舗に入店して商品を見て、該商品に付随する詳細なカタログ等をも見ながらＰＣ等でお買物ができることを特徴とするＰＣ等仮想空間での散策及びお買物システム。
【請求項３】
上記請求項１及び２に記載した商品を見ると同時に、該商品の申込から購入までの方法等を映し出すことができる機能を持った商品欄を該モニターに設け、該商品欄をクリック又は指等でモニターパネルにタッチすることで、商品を買うことができることを特徴とするＰＣ等仮想空間での散策及びお買物システム。
【請求項４】
上記請求項１、２及び３に記載したＰＣ等のモニターに、追加して該ＰＣ等モニターの外周部分である広告専用表示モニターに、該モニターの中央に映し出された店舗等に関係する諸情報を映し出して、仮想空間店舗でのお買物をする客の利便性を高めたことを特徴とするＰＣ等仮想空間での散策及びお買物システム。
【請求項５】
上記請求項１，２，３及び４に記載したＰＣ等モニターの同一外周部分に追加して、該外周部分のバナーに上記広告に関連する様々な広告を映し出すことができる広告専用表示モニター機能を持ったことを特徴とするＰＣ等仮想空間での散策及びお買物システム。
【請求項６】
上記請求項１，２，３，４及び５に記載したＰＣ等モニター外周部分の広告専用表示モニターに、広告効果が高まるように、該ＰＣ等の別の周辺部分にジャンル別一覧表を設置して、視聴者自身が興味ある広告を映し出させる機能を持ったことを特徴とするＰＣ等仮想空間での散策及びお買物システム。
【請求項７】
上記請求項１及び２に記載したＰＣ等の視聴者が、該店舗等内にいる商品販売員とＰＣ等のウェブカメラを介して、買物客とそれぞれが１対１で相手方の映像を見ながら直接会話をし、リアルタイムでの買物ができることを特徴とする特徴とするＰＣ等仮想空間での散策及びお買物システム。
【請求項８】
上記請求項１，２及び７に記載した他に、店舗等の商品販売員が該モニターを見る大勢の視聴者である買物客に対し、チャットを利用して一度に大勢の買物客と会話ができることを特徴とするＰＣ等仮想空間での散策及びお買物システム。
【発明の詳細な説明】
【技術分野】
【０００１】  本発明は、従来より行われているＰＣ等を利用して仮想空間店舗で商品カタログ等を見て買物する方法とは違って、買物客自身が遠方の気に入った街を歩き散策をしながら、そこにある店舗等を見て入店して、楽しく仮想空間店舗での買物をすることができるＰＣ等仮想空間での散策及びお買物システム。【０００２】  従来この種におけるＰＣ等を利用した買物方法は、ＰＣ等モニターに表示された商品カタログのみを見て購入しているのが一般的で、購入前の商品イメージと購入後の商品イメージが相違して、商品を買ったことを後悔するなど問題点がある。
【発明の開示】
【発明が解決しようとする課題】
【０００３】  本発明は、上記で述べているＰＣ等を利用したカタログのみを見て商品を購入する場合、味気ない機械的な買物となる、又、商品購入前に抱いていた商品イメージと購入後に見た商品と比べて、該商品イメージが異なったりして、該商品を買ったことの後悔をしたりすることがないように、まず買物をする街角や店舗等を自分自身がＰＣ等のモニターに表示された映像を見て、自分自身が街を歩きながら各店舗等を見ながら、店舗等に入店をして買い物をする、別に表現すれば、該商品をカタログだけで商品購入を判断するのではなく、その街や店舗等の雰囲気と商品が醸し出すイメージをＰＣ等のモニターに表示された映像を目や耳で確認しながら、遠方の気に入った街角を散策し、更にその街で楽しく買物ができることとしたもの。
【課題を解決するための手段】
【０００４】  上記に説明したＰＣ等の視聴者が楽しみながら、しっかりと商品を確認したうえで買物ができる目的を達成するために、本発明は、まず最初に店主側等が買物をする街角、店舗等、各種商品及び付随する説明書等をビデオカメラ等で撮影をし、その買物情報を商品情報及びシステムデーターの管理センター（以下「商品管理センター」という）に情報を蓄積し、該情報をインターネット（以下「ネット」という）を利用して各ＰＣ等のモニターに商品情報を送信して、ＰＣ等視聴者が商品を買う事ができるシステムを提供して課題を解決するもの。
又、ＰＣ等に映像表示された店舗等の商品販売員と、買物をするＰＣ等視聴者とを、ウェブカメラを利用したチャットシステムにより商品管理センターを経由して販売員と買物客とが１対１での会話、或いは販売員と大勢の買物客を一度に会話させて、詳細な商品の説明を見て聞いた上で、納得して商品を買うことを提供して課題を解決するもの。
【発明の効果】
【０００５】  本発明は、従来の仮想空間店舗に商品カタログのみをネットを利用したＰＣ等を介して商品映像等を機械的に無機質に一方的情報を見た上で、商品をＰＣ等視聴者が購入するのでなく、商品買物客自身が、ＰＣモニター内で、実際に街角、店舗等及び店内をも楽しく歩きながら、又、商品販売員と会話をしながら、該商品をよく確かめた上で、商品を購入することができる効果があり、買いたいという動機を生じさせ商品販売の売り上げ効果を図り、更に買物の行為そのものを楽しくする効果がある特徴を持ったＰＣ等仮想空間での散策及びお買物システム。
【発明を実施するための最良の形態】
【０００６】  本発明の最良の用法を説明すると、本発明の仮想空間店舗でのお買物システムは、街角や店舗等及び商品及びカタログを事前に店主側等がビデオカメラで撮影をし、それらの映像等の情報を商品管理センターに蓄積しておいて、ＰＣ等視聴者が必要とする映像等情報をＰＣ等のモニターに表示して、商品を見ながら又商品販売員と会話をしながら商品が購入できることを特徴としたＰＣ等仮想空間での散策及びお買物システム。
【実施例】
【０００７】  本発明の実施例を図面について以下の通り説明する。
図１に関し、ＰＣ等本体のモニター外枠（１）内に装着された、街角、店舗等及び商品を表示するモニター（２）、広告及び商品を購入する及び広告の変更をする機能を持たせたバナー広告表示モニター（３）を装設し、街角、店舗等、店内及び商品等を事前にビデオカメラ等で店主側等が撮影をした情報を商品管理センター（６）に蓄積しておき、その該情報を買物客が所有するＰＣ等（１）にネットを経由して該情報を映し出す機能を装設する。
図２に関し、ＰＣ等本体のモニター外枠（１）内に装着された、街角、店舗等及び商品を表示する店舗商品表示モニター（２）、広告を映し出すバナー広告専用表示モニター（３−１）、別部分の外周に配置された商品を詳細にみること及び広告の変更ができる商品欄及び広告ジャンル別変更表示モニター（３−２）、街角店舗等及び商品を見るためにカメラ撮影方向と映像を見るスピードを変更することができる方向移動マーク（４）機能を装設する。
図３に関し、
店舗等に設置のＰＣ（５）、店内にいる商品販売員（６）、デスクトップ型パーソナルコンピューターを視聴する買物客（８）、携帯電話を視聴する買物客（９）及びモバイル又はノートブック型パーソナルコンピューターを視聴する買物客（１０）、街角、店舗等、店内及び商品等を事前にビデオカメラ等で店主側等が撮影をした情報（１１）を蓄積した商品管理センター（７）を配置して、商品販売員（６）とＰＣ等の視聴者である買物客（８，９，１０）が１対１で会話することができる機能を持ち、更に、商品販売員（６）が一度に大勢の買物客（８，９，１０）と会話をしながら該商品を買うことができる機能を装設する。
【図面の簡単な説明】
【０００８】
【図１】  本発明のＰＣ等のモニターの正面図と商品管理センターを表示した図。
【図２】  本発明のＰＣ等のモニターの各種機能付きの正面図。
【図３】  本発明の情報、商品管理センター、店内に配置したＰＣ等及び販売員、ＰＣ等の視聴者である買物客を表示したシステム全体図。
【符号の説明】
【０００９】１      ＰＣ等のモニター外枠
２      店舗商品表示モニター
３      バナー広告等表示モニター
３−１  広告専用表示モニター
３−２  商品欄及び広告ジャンル別変更表示モニター
４      街角や商品を見る場合のカメラの移動を指示する方向移動マーク
５      店舗等に設置のＰＣ等
６      店舗等内の商品販売員
７      商品管理センター
８      デスクトップ型パーソナルコンピューターを視聴する買物客
９      携帯電話を視聴する買物客
１０    モバイル又はノートブック型パーソナルコンピューターを視聴する買物客
１１    街角、店舗等及び商品を撮影した映像等の情報
【図１】
2010157195.tif 000003
【図２】
2010157195.tif 000004
【図３】
2010157195.tif 000005